(57)【特許請求の範囲】
【請求項１】
有料道路を通過するための認証情報が格納された媒体を装着可能である装着部と、
前記装着部に前記媒体が装着されている状態であるか、前記装着部に前記媒体が装着されていない状態であるかを検出する検出部と、
自動運転を行う自動運転制御部であって、前記検出部による検出結果に基づいて、前記自動運転の制御内容を変更する自動運転制御部と、を備え、
前記自動運転制御部は、前記検出部により検出された装着状態が変化した時刻と、有料道路に設けられた複数のゲートの中から選択した目標ゲートに車両が到達することが予測される時刻との関係、または、前記検出部により検出された装着状態が変化した時刻における車両の位置と前記目標ゲートの位置との関係に基づいて、前記目標ゲートを変更するか否かを決定する、
車両制御装置。
【請求項２】
前記自動運転制御部は、前記検出部により検出された装着状態が変化した時刻と、車両が前記目標ゲートに到達することが予測される時刻との差が所定時間よりも長い場合、または、前記検出部により検出された装着状態が変化した時刻における車両の位置と前記目標ゲートの位置との距離が所定距離よりも長い場合、前記目標ゲートを変更し、且つ、前記目標ゲートまでの目標軌道を変更する、
請求項１に記載の車両制御装置。
【請求項３】
前記自動運転制御部は、前記検出部により検出された装着状態が変化した時刻と、車両が前記目標ゲートに到達することが予測される時刻との差が所定時間以下である場合、または、前記検出部により検出された装着状態が変化した時刻における前記車両の位置と前記目標ゲートの位置との距離が所定距離以下である場合、前記目標ゲートを変更することなしに、前記目標ゲート付近の位置に前記車両を停止させる、
請求項１または２に記載の車両制御装置。
【請求項４】
前記自動運転制御部は、前記目標ゲートを変更することなしに、前記目標ゲート付近の位置に前記車両を停止させた場合に、前記目標ゲートを通過することができないことを通知部により通知させる、
請求項３に記載の車両制御装置。
【請求項５】
前記自動運転制御部は、前記目標ゲートを変更することなしに、前記目標ゲート付近の位置に前記車両を停止させる前に、手動運転を実行することを通知部により通知させる、
請求項３または４に記載の車両制御装置。
【請求項６】
コンピュータが、
有料道路を通過するための認証情報が格納された媒体が装着部に装着されている状態であるか、前記装着部に前記媒体が装着されていない状態であるかを検出し、
検出結果に基づいて、自動運転の制御内容を変更し、
前記検出された装着状態が変化した時刻と、有料道路に設けられた複数のゲートの中から選択した目標ゲートに車両が到達することが予測される時刻との関係、または、前記検出された装着状態が変化した時刻における車両の位置と前記目標ゲートの位置との関係に基づいて、前記目標ゲートを変更するか否かを決定する、
車両制御方法。
【請求項７】
コンピュータに、
有料道路を通過するための認証情報が格納された媒体が装着部に装着されている状態であるか、前記装着部に前記媒体が装着されていない状態であるかを検出させ、
検出結果に基づいて、自動運転の制御内容を変更させ、
前記検出された装着状態が変化した時刻と、有料道路に設けられた複数のゲートの中から選択した目標ゲートに車両が到達することが予測される時刻との関係、または、前記検出された装着状態が変化した時刻における車両の位置と前記目標ゲートの位置との関係に基づいて、前記目標ゲートを変更するか否かを決定させる、
車両制御プログラム。
【発明の詳細な説明】
【技術分野】
【０００１】
本発明は、車両制御装置、車両制御方法、および車両制御プログラムに関する。
【背景技術】
【０００２】
従来、車両がＥＴＣ（Electronic Toll Collection System）レーンを通過する際に車両を制御する技術が知られている。これに関連し、ＥＴＣカードが未装着であり、且つ車両がＥＴＣレーンを走行中である場合に、ＥＴＣレーンを走行中である旨を報知し、車両がＥＴＣゲートに進入する場合に車両を停止させる技術が開示されている（例えば、特許文献１参照）。
【先行技術文献】
【特許文献】
【０００３】
【特許文献１】特開２００５−１１５５３１号公報
【発明の概要】
【発明が解決しようとする課題】
【０００４】
しかしながら、特許文献１に記載された技術は、ＥＴＣカードが未装着である状態から車載器に装着された場合や、ＥＴＣカードが車載器に装着された状態から車載器から抜かれた場合に、車両が通過するゲートを変化させることができないため、ＥＴＣカードの装着状態の変化に応じて車両の走行を制御することができない可能性があった。【０００５】
本発明は、このような事情を考慮してなされたものであり、例えばＥＴＣカードなどの媒体の装着状態に応じて車両の走行を適切に制御することができる車両制御装置、車両制御方法、および車両制御プログラムを提供することを目的の一つとする。
【課題を解決するための手段】
【０００６】
請求項１記載の発明は、有料道路を通過するための認証情報が格納された媒体（ＥＣ）を装着可能である装着部（４２）と、前記装着部に前記媒体が装着されている状態であるか、前記装着部に前記媒体が装着されていない状態であるかを検出する検出部（４４）と、自動運転を行う自動運転制御部であって、前記検出部による検出結果に基づいて、前記自動運転の制御内容を変更する自動運転制御部（１００、６０）と、を備える車両制御装置（１）である。【０００７】
請求項２記載の発明は、請求項１に記載の車両制御装置であって、前記自動運転制御部は、有料道路に設けられた複数のゲートの中から選択した目標ゲートに自動的に向かうように車両を制御し、前記検出部により検出された前記装着状態が変化した場合に、前記目標ゲートを変更するか否かを決定する、ものである。【０００８】
請求項３記載の発明は、請求項１または２に記載の車両制御装置であって、前記自動運転制御部は、車両が前記目標ゲートに自動的に向かうための目標軌道を生成し、前記検出部により検出された装着状態の変化に基づいて、前記目標軌道を変更するものである。【０００９】
請求項４記載の発明は、請求項１または２に記載の車両制御装置であって、前記自動運転制御部は、前記検出部により検出された装着状態が変化した時刻と、前記車両が前記目標ゲートに到達することが予測される時刻との関係、または、前記検出部により検出された装着状態が変化した時刻における車両の位置と前記目標ゲートの位置との関係に基づいて、前記目標ゲートを変更するか否かを決定するものである。【００１０】
請求項５記載の発明は、請求項４に記載の車両制御装置であって、前記自動運転制御部は、前記検出部により検出された装着状態が変化した時刻と、車両が前記目標ゲートに到達することが予測される時刻との差が所定時間よりも長い場合、または、前記検出部により検出された装着状態が変化した時刻における前記車両の位置と前記目標ゲートの位置との距離が所定距離よりも長い場合、前記目標ゲートを変更し、且つ、前記目標ゲートまでの目標軌道を変更するものである。【００１１】
請求項６記載の発明は、請求項４または５に記載の車両制御装置であって、前記自動運転制御部は、前記検出部により検出された装着状態が変化した時刻と、車両が前記目標ゲートに到達することが予測される時刻との差が所定時間以下である場合、または、前記検出部により検出された装着状態が変化した時刻における前記車両の位置と前記目標ゲートの位置との距離が所定距離以下である場合、前記目標ゲートを変更することなしに、前記目標ゲート付近の位置に前記車両を停止させるものである。【００１２】
請求項７記載の発明は、請求項６に記載の車両制御装置であって、前記自動運転制御部は、前記目標ゲートを変更することなしに、前記目標ゲート付近の位置に前記車両を停止させた場合に、前記目標ゲートを通過することができないことを通知部（３０、４８、５２）により通知させるものである。【００１３】
請求項８記載の発明は、請求項６または７に記載の車両制御装置であって、前記自動運転制御部は、前記目標ゲートを変更することなしに、前記目標ゲート付近の位置に前記車両を停止させる前に、手動運転を実行することを通知部（３０、４８、５２）により通知させるものである。【００１４】
請求項９記載の発明は、請求項２に記載の発明において、前記自動運転制御部は、前記媒体が使用されずに車両が有料道路に入場した後、前記有料道路からの退出時において、前記装着状態の変化に拘わらず、前記媒体を使用せず通過可能なゲートを前記目標ゲートとして維持するものである。【００１５】
請求項１０記載の発明は、コンピュータが、有料道路を通過するための認証情報が格納された媒体が装着部に装着されている状態であるか、前記装着部に前記媒体が装着されていない状態であるかを検出し、検出結果に基づいて、自動運転の制御内容を変更する、車両制御方法である。【００１６】
請求項１１記載の発明は、コンピュータに、有料道路を通過するための認証情報が格納された媒体が装着部に装着されている状態であるか、前記装着部に前記媒体が装着されていない状態であるかを検出させ、検出結果に基づいて、自動運転の制御内容を変更させる、車両制御プログラムである。
【発明の効果】
【００１７】
請求項１、１０、または１１記載の発明によれば、媒体の装着状態の検出結果に基づいて自動運転の制御内容を変更するので、例えばＥＴＣカードなどの媒体の装着状態に応じて車両の走行を適切に制御することができる。【００１８】
請求項２または３記載の発明によれば、媒体の装着状態の変化に基づいて目標ゲートを変更するので、変更された目標ゲートを通過するように車両の走行を制御することができる。【００１９】
請求項４、５、または６記載の発明によれば、媒体の装着状態の変化した時の車両の位置とゲートの位置との関係に基づいて目標ゲートを変更するので、より適切に車両の走行を制御することができる。【００２０】
請求項７記載の発明によれば、目標ゲート付近の位置に車両を停止させた場合に目標ゲートを通過することができないことを通知するので、乗員に与える違和感を抑制することができる。【００２１】
請求項８記載の発明によれば、目標ゲート付近の位置に車両を停止させる前に、手動運転を実行することを通知するので、利便性を高くすることができる。
【図面の簡単な説明】
【００２２】
【図１】自動運転制御ユニット１００を含む車両システム１の構成図である。
【図２】自車位置認識部１２２により走行車線Ｌ１に対する自車両Ｍの相対位置および姿勢が認識される様子を示す図である。
【図３】目標車線に基づいて目標軌道が生成される様子を示す図である。
【図４】料金所通過イベントにおいて目標軌道が生成される様子を示す図である。
【図５】自車両Ｍの位置と、有料道路の入口ゲート位置および出口ゲートの位置との関係の一例を示す図である。
【図６】自車両Ｍの位置と、自車両Ｍの走行状態と、装着状態の変化と、制御内容（Ｃ１）〜（Ｃ１４）との関係を示す図である。
【図７】自動運転を開始する前において自車両Ｍが通過するゲートを設定する処理の流れの一例を示すフローチャートである。
【図８】自動運転を実行している最中にＥＴＣカードの装着状態が変化した場合における制御の流れの一例を示すフローチャートである。
【図９】料金所の直前においてＥＴＣカードの装着状態が変化した場合の他の処理の流れの一例を示すフローチャートである。
【図１０】手動運転を実行することが可能な状況の一例を示す図である。
【発明を実施するための形態】
【００２３】
以下、図面を参照し、本発明の車両制御装置、車両制御方法、および車両制御プログラムの実施形態について説明する。図１は、自動運転制御ユニット１００を含む車両システム１の構成図である。車両システム１が搭載される車両は、例えば、二輪や三輪、四輪等の車両であり、その駆動源は、ディーゼルエンジンやガソリンエンジンなどの内燃機関、電動機、或いはこれらの組み合わせである。電動機は、内燃機関に連結された発電機による発電電力、或いは二次電池や燃料電池の放電電力を使用して動作する。
【００２４】
車両システム１は、例えば、カメラ１０と、レーダ装置１２と、ファインダ１４と、物体認識装置１６と、通信装置２０と、ＨＭＩ（Human Machine Interface）３０と、ＥＴＣ（Electronic Toll Collection system）車載器４０と、ナビゲーション装置５０と、ＭＰＵ（Micro-Processing Unit）６０と、車両センサ７０と、運転操作子８０と、自動運転制御ユニット１００と、走行駆動力出力装置２００と、ブレーキ装置２１０と、ステアリング装置２２０とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２５】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される車両（以下、自車両Ｍと称する）の任意の箇所に一つまたは複数が取り付けられる。前方を撮像する場合、カメラ１０は、フロントウインドシールド上部やルームミラー裏面等に取り付けられる。カメラ１０は、例えば、周期的に繰り返し自車両Ｍの周辺を撮像する。カメラ１０は、ステレオカメラであってもよい。
【００２６】
レーダ装置１２は、自車両Ｍの周辺にミリ波などの電波を放射すると共に、物体によって反射された電波（反射波）を検出して少なくとも物体の位置（距離および方位）を検出する。レーダ装置１２は、自車両Ｍの任意の箇所に一つまたは複数が取り付けられる。レーダ装置１２は、ＦＭ−ＣＷ（Frequency Modulated Continuous Wave）方式によって物体の位置および速度を検出してもよい。
【００２７】
ファインダ１４は、照射光に対する散乱光を測定し、対象までの距離を検出するＬＩＤＡＲ（Light Detection and Ranging、或いはLaser Imaging Detection and Ranging）である。ファインダ１４は、自車両Ｍの任意の箇所に一つまたは複数が取り付けられる。
【００２８】
物体認識装置１６は、カメラ１０、レーダ装置１２、およびファインダ１４のうち一部または全部による検出結果に対してセンサフュージョン処理を行って、物体の位置、種類、速度などを認識する。物体認識装置１６は、認識結果を自動運転制御ユニット１００に出力する。
【００２９】
通信装置２０は、例えば、セルラー網やＷｉ−Ｆｉ網、Ｂｌｕｅｔｏｏｔｈ（登録商標）、ＤＳＲＣ（Dedicated Short Range Communication）などを利用して、自車両Ｍの周辺に存在する他車両と通信し、或いはＶＩＣＳ（登録商標）などの無線基地局を介して各種サーバ装置と通信する。
【００３０】
ＨＭＩ３０は、自車両Ｍの乗員に対して各種情報を提示すると共に、乗員による入力操作を受け付ける。ＨＭＩ３０は、各種表示装置、スピーカ、ブザー、タッチパネル、スイッチ、キーなどを含む。ＨＭＩ３０におけるタッチパネル、スイッチ、キーなどの操作部が、自車両Ｍの運転モードを、自動運転モードに切り替える操作を受け付ける受付部として機能する。自動運転モードは、例えば、自車両Ｍの操舵または加減速の少なくとも一方を制御することで、目的地までの経路に沿って自車両Ｍを自動的に走行させる運転モードである。
【００３１】
ＥＴＣ車載器４０は、ＥＴＣカード（ＥＣ）が装着される装着部４２と、装着部４２にＥＴＣカードＭが装着されているか否かを検出する検出部４４と、有料道路のゲートに設けられたＥＴＣ路側器と通信する無線通信部４６と、通知部４８を備える。ＥＴＣカードは、自車両Ｍが有料道路を通過するための認証情報（ＡＩ（authentication information））が格納された媒体である。なお、無線通信部４６は、通信装置２０と共通化されてもよい。
【００３２】
装着部４２は、ＥＴＣカードを装着および抜き取りが可能である挿抜機構を備える。装着部４２において、ＥＴＣカードが装着された状態またはＥＴＣカードが抜き取られた状態のいずれであるかが、検出部４４により検出される。検出部４４は、検出結果を、自動運転制御ユニット１００に出力する。なお、検出部４４は、ＥＴＣカードの有効期限などに基づくＥＴＣカードの有効または無効を検出する機能部を備えていて良い。この場合、検出部４４は、ＥＴＣカードが有効である場合、ＥＴＣカードが装着されている状態であると判定し、ＥＴＣカードが無効である場合、ＥＴＣカードが装着されていない状態であると判定してもよい。
【００３３】
無線通信部４６は、ＥＴＣ路側器から受信した要求に応じて、ＥＴＣカードに格納された認証情報をＥＴＣ車載器に送信する。無線通信部４６は、ＥＴＣ路側器から受信した認証結果に基づいて、ＥＴＣ路側器が設けられたゲート通過の可否、入口料金所や出口料金所などの情報を取得する。ＥＴＣ路側器は、ＥＴＣ車載器から受信した情報を元に自車両Ｍの乗員に対する課金額を決定し、請求処理を進める。
【００３４】
通知部４８は、音声を出力するスピーカや、インジケータなどである。通知部４８は、ＥＴＣカードの装着状態、無線通信部４６により取得した認証結果を乗員に通知する。
【００３５】
ナビゲーション装置５０は、例えば、ＧＮＳＳ（Global Navigation Satellite System）受信機５１と、ナビＨＭＩ５２と、経路探索部５３とを備え、ＨＤＤ（Hard Disk Drive）やフラッシュメモリなどの記憶装置に第１地図情報５４を保持している。ＧＮＳＳ受信機５１は、ＧＮＳＳ衛星から受信した信号に基づいて、自車両Ｍの位置を特定する。自車両Ｍの位置は、車両センサ７０の出力を利用したＩＮＳ（Inertial Navigation System）によって特定または補完されてもよい。
【００３６】
ナビＨＭＩ５２は、表示装置、スピーカ、タッチパネル、キーなどを含む。ナビＨＭＩ５２は、前述したＨＭＩ３０と一部または全部が共通化されてもよい。ナビＨＭＩ５２は、乗員の操作に基づいて、目的地などの情報を受け付ける。
【００３７】
経路探索部５３は、例えば、ＧＮＳＳ受信機５１により特定された自車両Ｍの位置（或いは入力された任意の位置）から、ナビＨＭＩ５２を用いて乗員により入力された目的地までの経路を、第１地図情報５４を参照して決定する。経路探索部５３は、自車両Ｍの現在位置が探索した経路から所定距離以上離れている場合に、経路を再計算する。経路探索部５３により決定された経路は、ＭＰＵ６０に出力される。また、ナビゲーション装置５０は、経路探索部５３により決定された経路に基づいて、ナビＨＭＩ５２を用いた経路案内を行ってもよい。
【００３８】
第１地図情報５４は、例えば、道路を示すリンクと、リンクによって接続されたノードとによって道路形状が表現された情報である。第１地図情報５４は、道路の曲率やＰＯＩ（Point Of Interest）情報などを含んでもよい。
【００３９】
なお、ナビゲーション装置５０は、例えば、ユーザの保有するスマートフォンやタブレット端末等の端末装置の機能によって実現されてもよい。また、ナビゲーション装置５０は、通信装置２０を介してナビゲーションサーバに現在位置と目的地を送信し、ナビゲーションサーバから返信された経路を取得してもよい。
【００４０】
ＭＰＵ６０は、例えば目標車線決定部６１および目標ゲート決定部６２として機能し、ＨＤＤやフラッシュメモリなどの記憶装置に第２地図情報６３を保持している。目標車線決定部６１は、ナビゲーション装置５０から提供された経路を複数のブロックに分割し（例えば、車両進行方向に関して１００［ｍ］毎に分割し）、第２地図情報６３を参照してブロックごとに目標車線を決定する。目標車線決定部６１は、左から何番目の車線を走行するといった決定を行う。目標車線決定部６１は、経路において分岐箇所や合流箇所などが存在する場合、自車両Ｍが、分岐先に進行するための合理的な走行経路を走行できるように、目標車線を決定する。
【００４１】
目標ゲート決定部６２は、例えば、ＥＴＣカードの装着状態その他の情報に基づいて、経路探索部５３により探索された経路において並列に設けられた複数のゲートの中からいずれかの目標ゲートを選択する。並列に設けられた複数のゲートは、自車両Ｍが一つのゲートを選択的に走行することができるように建築された一連のゲート群である。一連のゲート群には、ＥＴＣカードに格納された認証情報に基づいて自車両Ｍの通過の可否が判定されるＥＴＣゲート、チケットの受け取りまたは手動による支払いを条件として自車両Ｍの通過が許可される一般ゲート、ＥＴＣゲートと一般ゲートの機能を併せ持つＥＴＣ／一般ゲートが含まれる。目標ゲート決定部６２は、ＥＴＣカードが装着部４２に装着されている場合、原則としてＥＴＣゲートを選択する。目標ゲート決定部６２は、ＥＴＣカードが装着部４２に装着されていない場合、原則として一般ゲートを選択する。目標ゲート決定部６２は、閉鎖しているゲートが存在する場合や、他車両の存在などに基づいて、ＥＴＣ／一般ゲートを選択しても良い。さらに、目標ゲート決定部６２は、認証情報に基づいて選択された目標ゲートが複数存在する場合、目的地までの経路、他車両の存在、車線変更の有無などに基づいて、一つの目標ゲートを決定する。
【００４２】
第２地図情報６３は、ナビゲーション装置５０における第１地図情報５４よりも高精度な地図情報である。第２地図情報６３は、例えば、車線の中央の情報あるいは車線の境界の情報等を含んでいる。また、第２地図情報６３には、道路情報、交通規制情報、住所情報（住所・郵便番号）、施設情報、電話番号情報などが含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。第２地図情報６３には、有料道路におけるゲートがＥＴＣゲート、一般ゲート、またはＥＴＣ／一般ゲートのうちいずれかの種別を表す種別情報、各ゲートの位置、などの情報が含まれる。第２地図情報６３は、通信装置２０を用いて他装置にアクセスすることにより、随時、アップデートされてよい。
【００４３】
車両センサ７０は、自車両Ｍの速度を検出する車速センサ、加速度を検出する加速度センサ、鉛直軸回りの角速度を検出するヨーレートセンサ、自車両Ｍの向きを検出する方位センサ等を含む。
【００４４】
運転操作子８０は、例えば、アクセルペダル、ブレーキペダル、シフトレバー、ステアリングホイールその他の操作子を含む。運転操作子８０には、操作量あるいは操作の有無を検出するセンサが取り付けられており、その検出結果は、自動運転制御ユニット１００、もしくは、走行駆動力出力装置２００、ブレーキ装置２１０、およびステアリング装置２２０のうち一方または双方に出力される。
【００４５】
自動運転制御ユニット１００は、例えば、第１制御部１２０と、第２制御部１４０とを備える。第１制御部１２０と第２制御部１４０は、それぞれ、ＣＰＵ（Central Processing Unit）などのプロセッサがプログラム（ソフトウェア）を実行することで実現される。また、以下に説明する第１制御部１２０と第２制御部１４０の機能部のうち一部または全部は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアの協働によって実現されてもよい。
【００４６】
第１制御部１２０は、例えば、外界認識部１２１と、自車位置認識部１２２と、行動計画部１３０とを備える。
【００４７】
外界認識部１２１は、カメラ１０、レーダ装置１２、およびファインダ１４から物体認識装置１６を介して入力される情報に基づいて、周辺車両の位置、および速度、加速度等の状態を認識する。周辺車両の位置は、その周辺車両の重心やコーナー等の代表点で表されてもよいし、周辺車両の輪郭で表現された領域で表されてもよい。周辺車両の「状態」とは、周辺車両の加速度やジャーク、あるいは「行動状態」（例えば車線変更をしている、またはしようとしているか否か）を含んでもよい。また、外界認識部１２１は、周辺車両に加えて、ガードレールや電柱、駐車車両、歩行者その他の物体の位置を認識してもよい。
【００４８】
自車位置認識部１２２は、例えば、自車両Ｍが走行している車線（走行車線）、並びに走行車線に対する自車両Ｍの相対位置および姿勢を認識する。自車位置認識部１２２は、例えば、第２地図情報６３から得られる道路区画線のパターン（例えば実線と破線の配列）と、カメラ１０によって撮像された画像から認識される自車両Ｍの周辺の道路区画線のパターンとを比較することで、走行車線を認識する。この認識において、ナビゲーション装置５０から取得される自車両Ｍの位置やＩＮＳ（Inertial Navigation System）による処理結果が加味されてもよい。
【００４９】
自車位置認識部１２２は、例えば、走行車線に対する自車両Ｍの位置や姿勢を認識する。図２は、自車位置認識部１２２により走行車線Ｌ１に対する自車両Ｍの相対位置および姿勢が認識される様子を示す図である。自車位置認識部１２２は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置および姿勢として認識する。なお、これに代えて、自車位置認識部１２２は、自車線Ｌ１のいずれかの側端部に対する自車両Ｍの基準点の位置などを、走行車線に対する自車両Ｍの相対位置として認識してもよい。自車位置認識部１２２により認識される自車両Ｍの相対位置は、目標車線決定部６１および行動計画部１３０に提供される。
【００５０】
行動計画部１３０は、料金所通過制御部１３２と、目標軌道生成部１３４とを備える。  行動計画部１３０は、目標車線決定部６１により決定された目標車線を走行するように、且つ、自車両Ｍの周辺状況に対応できるように、自動運転において順次実行されるイベントを決定する。イベントには、例えば、一定速度で同じ走行車線を走行する定速走行イベント、前走車両に追従する追従走行イベント、車線変更イベント、合流イベント、分岐イベント、料金所通過イベント、緊急停止イベント、自動運転を終了して手動運転に切り替えるためのハンドオーバイベントなどがある。また、これらのイベントの実行中に、自車両Ｍの周辺状況（周辺車両や歩行者の存在、道路工事による車線狭窄など）に基づいて、回避のための行動が計画される場合もある。料金所通過制御部１３２は、料金所通過イベントにおいて、目標車線決定部６１により決定された目標車線および目標ゲート決定部６２によって決定された目標ゲートを走行させる。
【００５１】
目標軌道生成部１３４は、自車両Ｍが将来走行する目標軌道を生成する。目標軌道は、自車両Ｍの到達すべき地点（軌道点）を順に並べたものとして表現される。軌道点は、所定の走行距離ごとの自車両Ｍの到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における自車両Ｍの到達すべき位置であってもよい。この場合、目標速度や目標加速度の情報は軌道点の間隔で表現される。
【００５２】
図３は、目標車線に基づいて目標軌道が生成される様子を示す図である。図示するように、目標車線は、目的地までの経路に沿って走行するのに都合が良いように設定される。行動計画部１３０は、目標車線の切り替わり地点の所定距離手前（イベントの種類に応じて決定されてよい）に差し掛かると、車線変更イベント、分岐イベント、合流イベント、料金所通過イベントなどを起動する。各イベントの実行中に、障害物を回避する必要が生じた場合には、図示するように回避軌道が生成される。目標軌道生成部１３４は、例えば、目標軌道の候補を複数生成し、安全性と効率性の観点に基づいて、その時点での最適な目標軌道を選択する。このように、自動運転モードは、目的地までの経路に沿って、自車両Ｍを走行させる。
【００５３】
第２制御部１４０は、走行制御部１４１を備える。走行制御部１４１は、行動計画部１３０によって生成された目標軌道を、予定の時刻通りに自車両Ｍが通過するように、走行駆動力出力装置２００、およびブレーキ装置２１０、およびステアリング装置２２０を制御する。
【００５４】
走行駆動力出力装置２００は、車両が走行するための走行駆動力（トルク）を駆動輪に出力する。走行駆動力出力装置２００は、例えば、内燃機関、電動機、および変速機などの組み合わせと、これらを制御するＥＣＵとを備える。ＥＣＵは、走行制御部１４１から入力される情報、或いは運転操作子８０から入力される情報に従って、上記の構成を制御する。
【００５５】
ブレーキ装置２１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、走行制御部１４１から入力される情報に従って電動モータを制御し、制動操作に応じたブレーキトルクが各車輪に出力されるようにする。ブレーキ装置２１０は、運転操作子８０に含まれるブレーキペダルの操作によって発生させた油圧を、マスターシリンダを介してシリンダに伝達する機構をバックアップとして備えてよい。なお、ブレーキ装置２１０は、上記説明した構成に限らず、走行制御部１４１から入力される情報に従ってアクチュエータを制御して、マスターシリンダの油圧をシリンダに伝達する電子制御式油圧ブレーキ装置であってもよい。
【００５６】
ステアリング装置２２０は、例えば、ステアリングＥＣＵと、電動モータとを備える。電動モータは、例えば、ラックアンドピニオン機構に力を作用させて転舵輪の向きを変更する。ステアリングＥＣＵは、走行制御部１４１から入力される情報、或いは運転操作子８０から入力される情報に従って、電動モータを駆動し、転舵輪の向きを変更させる。
【００５７】
以下、料金所通過イベントについて説明する。図４は、料金所通過イベントにおいて目標軌道が生成される様子を示す図である。行動計画部１３０は、料金所の所定距離手前に差し掛かると、料金所通過イベントを起動する。目標軌道生成部１３４は、目標車線決定部６１により決定された目標車線から、目標ゲート決定部６２により決定された目標ゲートを通過する目標軌道を生成する。目標軌道生成部１３４は、目標ゲートの候補としてＥＴＣゲート（Ｇ１）、（Ｇ５）、および（Ｇ６）が選択された場合、目標軌道（Ｔ１）、（Ｔ５）、および（Ｔ６）を生成する。料金所通過制御部１３２は、他車両の存在などの安全性と、走行距離などの効率性の観点に基づいて、目標軌道（Ｔ１）、（Ｔ５）、および（Ｔ６）のうち最適な目標軌道を確定する。目標軌道生成部１３４は、目標ゲートの候補として一般ゲート（Ｇ２）および（Ｇ３）が選択された場合、目標軌道（Ｇ２）および（Ｇ３）を生成する。料金所通過制御部１３２は、他車両の存在などの安全性と、走行距離などの効率性の観点に基づいて、目標軌道（Ｔ２）および（Ｔ３）のうち適した目標軌道を確定する。
【００５８】
以下、ＥＴＣカードの装着状態が変化した場合に、自車両Ｍの走行を制御することについて説明する。図５は、自車両Ｍの位置と、有料道路の入口ゲートの位置および出口ゲートの位置との関係の一例を示す図である。図６は、自車両Ｍの位置と、自車両Ｍの走行状態と、装着状態の変化と、制御内容（Ｃ１）〜（Ｃ１４）との関係を示す図である。
【００５９】
まず、ＥＴＣカードが非装着状態から装着状態に変化した場合における制御について説明する。自車両Ｍの位置が出発地Ｐ１からの出発前において、ＥＴＣカードが非装着状態から装着状態に変化した場合、目標ゲート決定部６２は、目標ゲートを一般ゲートからＥＴＣゲートに変更する（Ｃ１）。自車両Ｍが有料道路までの一般道路を走行している場合において、ＥＴＣカードが非装着状態から装着状態に変化した場合、目標ゲート決定部６２は、目標ゲートを一般ゲートからＥＴＣゲートに変更する（Ｃ２）。なお、自車両Ｍの位置が出発地Ｐ１付近や料金所の入口位置Ｐｉから所定距離（Ｄ１＋Ｄ２）より離れている場合、目標軌道には影響しないので、目標車線の変更は行わない。
【００６０】
自車両Ｍの位置が料金所入口付近（Ｐ３からＰ４まで）である場合において、ＥＴＣカードが非装着状態から装着状態に変化した場合、目標ゲート決定部６２は、目標ゲートを一般ゲートからＥＴＣゲートに変更すると共に、目標車線決定部６１は、変更した目標ゲートの位置に基づいて自車両Ｍの走行車線を変更する（Ｃ３）。例えば、図４において、目標ゲートを一般ゲート（Ｇ３）からＥＴＣゲート（Ｇ６）に変更した場合、目標車線決定部６１は、目標車線を、一般ゲート（Ｇ３）に近い左側車線から、ＥＴＣゲート（Ｇ６）に近い右側車線に変更する。目標軌道生成部１３４は、変更された目標車線に基づいて目標軌道を変更する。「自車両Ｍの位置が料金所の付近である」とは、自車両Ｍの位置と料金所までの距離が所定距離（Ｄ１＋Ｄ２、第１の所定距離）以内であって、自車両Ｍの車線変更が可能な距離であることを言う。「自車両Ｍの位置が料金所付近である」とは、ＥＴＣカードの装着状態が変化した時刻から自車両Ｍが目標ゲートに到達することが予測される時刻までの期間が、自車両Ｍの車線変更が可能な期間である、と言い換えることができる。
【００６１】
自車両Ｍの位置が料金所入口直前（Ｐ４からＰｉまで）である場合において、ＥＴＣカードが非装着状態から装着状態に変化した場合、目標ゲート決定部６２は、目標ゲートを一般ゲートからＥＴＣゲートに変更しない。料金所通過制御部１３２は、変更されていない一般ゲートまで自車両Ｍを走行させ、当該一般ゲートに自車両Ｍを停止させる（Ｃ４）。「自車両Ｍの位置が料金所直前である」とは、自車両Ｍの位置と料金所までの距離が所定距離（Ｄ２、第２の所定距離）以下であり、自車両Ｍの車線変更が不能な距離であることを言う。また、「自車両Ｍの位置が料金所直前である」とは、ＥＴＣカードの装着状態が変化した時刻から自車両Ｍが目標ゲートに到達することが予測される時刻までの期間が、自車両Ｍの車線変更が不能な期間である（所定時間以下である）、と言い換えることができる。一般ゲートにおける自車両Ｍの停止位置は、例えば、乗員が一般ゲートの作業員と料金支払いの作業を実施することができる位置である。また、料金所通過制御部１３２は、ＨＭＩ３０を用いて、自動運転で一般ゲートを通過することができないことを通知する（Ｃ４）。なお、料金所通過制御部１３２は、ＨＭＩ３０に限らず、通知部４８またはナビＨＭＩ５２のどちらか一方を用いて通知を行ってもよく、ＨＭＩ３０、通知部４８、またはナビＨＭＩ５２の少なくとも一つを用いて通知を行ってよい。
【００６２】
自車両Ｍが有料道路の入口（Ｐｉ）から料金所付近（Ｐ６）までの有料道路（Ｐ５）を走行している場合において、ＥＴＣカードが非装着状態から装着状態に変化した場合、目標ゲート決定部６２は、目標ゲートを一般ゲートに維持する（Ｃ５）。自車両Ｍの位置が料金所出口付近（Ｐ６からＰ７まで）である場合において、ＥＴＣカードが非装着状態から装着状態に変化した場合、目標ゲート決定部６２は、目標ゲートを一般ゲートのままに維持する（Ｃ６）。自車両Ｍの位置が料金所出口直前（Ｐ７からＰｏまで）である場合において、ＥＴＣカードが非装着状態から装着状態に変化した場合、目標ゲート決定部６２は、目標ゲートを一般ゲートのままに維持する（Ｃ５）。
【００６３】
次に、ＥＴＣカードが装着状態から非装着状態に変化した場合における制御について説明する。自車両Ｍの位置が出発地Ｐ１からの出発前において、ＥＴＣカードが装着状態から非装着状態に変化した場合、目標ゲート決定部６２は、目標ゲートをＥＴＣゲートから一般ゲートに変更する（Ｃ８）。自車両Ｍが有料道路までの一般道路を走行している場合において、ＥＴＣカードが装着状態から非装着状態に変化した場合、目標ゲート決定部６２は、目標ゲートをＥＴＣゲートから一般ゲートに変更する（Ｃ９）。
【００６４】
自車両Ｍの位置が料金所入口付近（Ｐ３からＰ４まで）である場合において、ＥＴＣカードが装着状態から非装着状態に変化した場合、目標ゲート決定部６２は、目標ゲートをＥＴＣゲートから一般ゲートに変更すると共に、目標車線決定部６１は、変更した目標ゲートの位置に基づいて自車両Ｍの走行車線を変更する（Ｃ１０）。例えば、図４において、目標ゲートをＥＴＣゲート（Ｇ６）から一般ゲート（Ｇ３）に変更した場合、目標車線決定部６１は、目標車線を、ＥＴＣゲート（Ｇ６）に近い右側車線から、一般ゲート（Ｇ３）に近い左側車線に変更する。目標軌道生成部１３４は、変更された目標車線に基づいて目標軌道を変更する。
【００６５】
自車両Ｍの位置が料金所入口直前（Ｐ４からＰｉまで）である場合において、ＥＴＣカードが装着状態から非装着状態に変化した場合、目標ゲート決定部６２は、目標ゲートをＥＴＣゲートから一般ゲートに変更しない。料金所通過制御部１３２は、変更されていないＥＴＣゲートまで自車両Ｍを走行させ、当該ＥＴＣゲートに自車両Ｍを停止させる（Ｃ１１）。また、料金所通過制御部１３２は、ＨＭＩ３０を用いて、ＥＴＣゲートを通過することができないことを通知する（Ｃ１１）。
【００６６】
自車両Ｍが有料道路の入口（Ｐｉ）から料金所付近（Ｐ６）までの有料道路（Ｐ５）を走行している場合において、ＥＴＣカードが装着状態から非装着状態に変化した場合、料金所通過制御部１３２は、ＥＴＣカードを装着部４２に挿入することを通知する（Ｃ１２）。自車両Ｍの位置が料金所出口付近（Ｐ６からＰ７まで）である場合において、ＥＴＣカードが装着状態から非装着状態に変化した場合、料金所通過制御部１３２は、ＥＴＣカードを装着部４２に挿入することを通知する（Ｃ１３）。自車両Ｍの位置が料金所出口直前（Ｐ７からＰｏまで）である場合において、ＥＴＣカードの装着状態が装着状態から非装着状態に変化した場合、料金所通過制御部１３２は、ＥＴＣゲートまで自車両Ｍを走行させ、当該ＥＴＣカードに自車両Ｍを停止させる（Ｃ１４）。また、料金所通過制御部１３２は、ＨＭＩ３０を用いて、自動運転でＥＴＣゲートを通過することができないことを通知する（Ｃ１４）。
【００６７】
なお、上述したように、車両システム１は、ＥＴＣカードの装着状態に基づいて目標ゲートを変更するが、これに限定されず、車両システム１は、ＥＴＣカードの装着状態の検出結果に基づいて自動運転の制御内容を変更すればよい。車両システム１は、ＥＴＣカードの装着状態の検出結果に基づいて自車両Ｍの速度を制御して良い。車両システム１は、例えば、ＥＴＣカードが装着部４２に装着された状態から非装着に変化した場合、ＥＴＣカードが非装着になったことを通知すると共に、ＥＴＣカードを再装着する時間的な余裕を作るために、自車両Ｍの速度を減速しても良い。
【００６８】
以下、ＥＴＣカードの装着状態に基づいて自車両Ｍが通過するゲートを変更する動作の流れについて説明する。図７は、自動運転を開始する前において自車両Ｍが通過するゲートを設定する処理の流れの一例を示すフローチャートである。まず、ナビゲーション装置５０は、目的地までの経路を探索する（ステップＳ１００）。次に、料金所通過制御部１３２は、探索された経路に有料道路が含まれているか否かを判定する（ステップＳ１０２）。料金所通過制御部１３２は、経路に有料道路が含まれていない場合、目標ゲートを設定することなしに、本フローチャートの処理を終了する。
【００６９】
料金所通過制御部１３２は、経路に有料道路が含まれている場合、検出部４４を用いて、ＥＴＣカードの装着状態を検出する（ステップＳ１０４）。料金所通過制御部１３２は、ＥＴＣカードが装着部４２に装着されているか否かを判定する（ステップＳ１０６）。目標ゲート決定部６２は、ＥＴＣカードが装着部４２に装着されている場合、料金所入口における目標ゲートおよび料金所出口における目標ゲートを、ＥＴＣゲートに設定する（ステップＳ１０８）。目標ゲート決定部６２は、ＥＴＣカードが装着部４２に装着されていない場合、料金所入口における目標ゲートおよび料金所出口における目標ゲートを、一般ゲートに設定する（ステップＳ１１０）。
【００７０】
図８は、自動運転を実行している最中にＥＴＣカードの装着状態が変化した場合における制御の流れの一例を示すフローチャートである。なお、図８を参照して説明する処理は、図７の処理を実行することで目標ゲートが設定されている状態で開始されるものとする。料金所通過制御部１３２は、自車両Ｍが経路に沿って自動運転を実行している最中において（ステップＳ２００）、ＥＴＣカードの装着状態が変化したか否かを判定する（ステップＳ２０２）。料金所通過制御部１３２は、ＥＴＣカードの装着状態が変化していない場合、ステップＳ２３０に処理を進める。
【００７１】
料金所通過制御部１３２は、ＥＴＣカードの装着状態が変化した場合、自車両Ｍの位置を検出する（ステップＳ２０４）。次に、料金所通過制御部１３２は、自車両Ｍが一般道路を走行しているか否かを判定する（ステップＳ２０６）。料金所通過制御部１３２は、自車両Ｍが有料道路を走行している場合、ステップＳ２２０に処理を進める。
【００７２】
料金所通過制御部１３２は、自車両Ｍが一般道路を走行している場合、自車両Ｍの位置が料金所入口の直前であるか否かを判定する（ステップＳ２０８）。料金所通過制御部１３２は、自車両Ｍの位置が料金所入口の直前である場合、目標ゲートを変更せずに、目標ゲートの位置で自車両Ｍを停止させると共に通知を行う（ステップＳ２１６）。ステップＳ２１６の処理は、制御内容（Ｃ４）または（Ｃ８）に相当する。料金所通過制御部１３２は、自車両Ｍの位置が料金所入口の直前ではない場合、自車両Ｍの位置が料金所入口の付近であるか否かを判定する（ステップＳ２１０）。目標ゲート決定部６２は、自車両Ｍの位置が料金所入口の付近である場合、変化した装着状態に基づいて目標ゲートを変更し、目標車線決定部６１は、変更した目標ゲートの位置に基づいて走行車線を変更する（ステップＳ２１４）。ステップＳ２１６の処理は、制御内容（Ｃ３）または（Ｃ９）に相当する。目標ゲート決定部６２は、自車両Ｍの位置が料金所入口の付近ではない場合、変化した装着状態に基づいて目標ゲートを変更する（ステップＳ２１２）。ステップＳ２１６の処理は、制御内容（Ｃ１）、（Ｃ２）、（Ｃ１０）または（Ｃ１１）に相当する。その後、自車両Ｍは、目標ゲートを通過する（ステップＳ２１８）。
【００７３】
次に料金所通過制御部１３２は、自車両Ｍが有料道路を走行している最中にＥＴＣカードの装着状態が非装着状態に変化したか否かを判定する（ステップＳ２２０）。料金所通過制御部１３２は、ＥＴＣカードの装着状態の変化が、非装着状態から装着状態への変化である場合、ステップＳ２３０に処理を進める。すなわち、目標ゲート決定部６２は、自車両Ｍが有料道路を走行している最中にＥＴＣカードがＥＴＣ車載器４０に装着されても、目標ゲートを一般ゲートのまま維持する。この処理は、制御内容（Ｃ５）、（Ｃ６）、または（Ｃ７）に相当する。
【００７４】
料金所通過制御部１３２は、ＥＴＣカードが非装着状態に変化した場合、ＥＴＣカードをＥＴＣ車載器４０に装着することを通知する（ステップＳ２２２）。次に、料金所通過制御部１３２は、自車両Ｍの位置が料金所出口の直前であるか否かを判定する（ステップＳ２２４）。自車両Ｍの位置が料金所出口の直前ではない場合、ステップＳ２３０に処理を進める。自車両Ｍの位置が料金所出口の直前である場合、料金所通過制御部１３２は、ＥＴＣカードが装着部４２に装着されたか否かを判定する（ステップＳ２２６）。料金所通過制御部１３２は、ＥＴＣカードが装着された場合、ステップＳ２３０に処理を進める。すなわち、料金所通過制御部１３２は、目標ゲートを通過するために自動運転を継続する。料金所通過制御部１３２は、ＥＴＣカードが装着されていない場合、ＥＴＣゲートの位置で自車両Ｍを停止させると共に通知を行う（ステップＳ２２８）。ステップＳ２１６の処理は、制御内容（Ｃ１４）に相当する。
【００７５】
次に、料金所通過制御部１３２は、有料道路出口を通過したか否かを判定する（ステップＳ２３０）。料金所通過制御部１３２は、料金所出口を通過していない場合、ステップＳ２２０以降の処理を繰り返す。料金所通過制御部１３２は、料金所出口を通過した場合、本フローチャートの処理を終了する。
【００７６】
なお、図８のフローチャートで説明した処理の中で、ステップＳ２２０においてＥＴＣカードが非装着状態に変化したと判定され、ステップＳ２２２においてＥＴＣカードをＥＴＣ車載器４０に装着することが通知された後、所定時間の間、ＥＴＣカードが装着されない場合（料金所出口の直前に到達してしまった場合を除く）、一般ゲートに目標ゲートを変更して自動運転を継続してもよい。ＥＴＣゲートで入場して一般ゲートから退出するのは可能だからである。こうすれば、意図せず自車両Ｍが停止してしまうのを抑制することができる。
【００７７】
また、図８のフローチャートで説明した処理の中で、ステップＳ２２０においてＥＴＣカードが非装着状態に変化したと判定され、ステップＳ２２２においてＥＴＣカードをＥＴＣ車載器４０に装着することが通知された後、ステップＳ２２４で「自車両Ｍの位置が料金所出口の直前である」と判定される少し前の（所定時間または所定距離前の）タイミングで、一般ゲートに目標ゲートを変更して自動運転を継続してもよい。こうすれば、上記と同様に、意図せず自車両Ｍが停止してしまうのを抑制することができる。
【００７８】
また、図８のフローチャートで説明した処理のうちステップＳ２２０以降の処理は、自車両Ｍが一般ゲートから入場した場合（ＥＴＣカードを使用せずＥＴＣ／一般ゲートから入場した場合を含む）には省略されてよい。すなわち、ＥＴＣカードを使用せず有料道路に入場した場合、ＥＴＣカードの装着状態に拘わらず、一般ゲートを目標ゲートとして維持してよい。このような場合、ＥＴＣゲートからの退出は不可であるからである。
【００７９】
図８のフローチャートで説明した処理では、料金所の直前においてＥＴＣカードの装着状態が変化した場合、料金所通過制御部１３２は、目標ゲートの位置で自車両Ｍを停止させる（Ｓ２１６、Ｓ２２８）こととしたが、この処理（Ｓ２１６、Ｓ２２８）において、自動運転から手動運転に切り替えてもよい。図９は、料金所の直前においてＥＴＣカードの装着状態が変化した場合の他の処理の流れの一例を示すフローチャートである。
【００８０】
料金所通過制御部１３２は、料金所の直前において手動運転が可能か否かを判定する（ステップＳ３００）。料金所通過制御部１３２は、例えば、自車両Ｍからゲートまでの距離、および自車両Ｍの車速に基づいて、乗員が手動運転を行うことで自車両Ｍを乗員が所望するゲートに走行させることができるか否かを判定する。図１０は、手動運転を実行することが可能な状況の一例を示す図である。自車両Ｍの目標ゲートがＥＴＣゲート（Ｇ５）である場合において、料金所の直前においてＥＴＣゲートが抜き取られたものとする。料金所通過制御部１３２は、時刻ｔ１において自車両Ｍ（ｔ１）が複数の他車両に後続して走行しているために自車両Ｍの速度が低い場合、手動運転を実行することで自車両Ｍを一般ゲート（Ｇ３）に走行させることができることを判定する。
【００８１】
料金所通過制御部１３２は、手動運転が可能ではない場合、目標ゲートの位置で自車両Ｍを停止させると共に、通知を行う（ステップＳ３０８）。料金所通過制御部１３２は、手動運転が可能である場合、手動運転を開始することを要求する（ステップＳ３０２）。料金所通過制御部１３２は、運転操作子８０に対する操作が有ったか否かを判定する（ステップＳ３０４）。料金所通過制御部１３２は、運転操作子８０に対する操作がない場合、目標ゲートの位置で自車両Ｍを停止させると共に、通知を行う（ステップＳ３０８）。料金所通過制御部１３２は、運転操作子８０に対する操作が有った場合、自動運転を終了して、運転モードを自動運転から手動運転に切り替える（ステップＳ３０６）。
【００８２】
以上説明したように、車両システム１は、ＥＴＣカードの装着状態が変化した場合に、自動運転の制御内容を変更するので、ＥＴＣカードの装着状態に応じて自車両Ｍの走行を適切に制御することができる。具体的に、車両システム１は、目標ゲートを変更するか否かを決定するので、ＥＴＣカードの装着状態の変化に応じて目標ゲートを変更することができる。
【００８３】
また、車両システム１によれば、ＥＴＣカードの装着状態が変化した時刻と、自車両Ｍが目標ゲートに到達することが予測される時刻との関係に基づいて、前記目標ゲートを変更するか否かを決定することができる。また、車両システム１によれば、ＥＴＣカードの装着状態が変化した時刻における自車両Ｍの位置と目標ゲートの位置との関係に基づいて、目標ゲートを変更するか否かを決定することができる。車両システム１によれば、ＥＴＣカードの装着状態が変化した時刻における自車両Ｍの位置と目標ゲートの位置との距離が所定距離よりも長い場合、目標ゲートを変更し、且つ、目標ゲートまでの目標軌道を変更するので、ＥＴＣカードの装着状態に応じて自車両Ｍの走行をより適切に制御することができる。
【００８４】
車両システム１によれば、ＥＴＣカードの装着状態が変化した時刻における自車両Ｍの位置と目標ゲートの位置との距離が所定距離よりも短い場合、目標ゲートを変更することなしに、目標ゲート付近の位置に自車両Ｍを停止させるので、車線変更が困難な状況において目標ゲートを変更することを回避することができる。また、車両システム１によれば、目標ゲート付近の位置に自車両Ｍを停止させた場合に、目標ゲートを通過することができないことを通知するので、自車両Ｍが停止したことに対する乗員に与える違和感を抑制することができる。さらに、車両システム１によれば、目標ゲート付近の位置に自車両Ｍを停止させる前に、手動運転を実行することを通知するので、自車両Ｍの通過するゲートを変更したい乗員にとっての利便性を高くすることができる。
【００８５】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００８６】
１‥車両システム
３０‥ＨＭＩ
４０‥ＥＴＣ車載器
４２‥装着部
４４‥検出部
４６‥無線通信部
５０‥ナビゲーション装置
５１‥ＧＮＳＳ受信機
５２‥ナビＨＭＩ
５３‥経路探索部
５４‥第１地図情報
６０‥ＭＰＵ
６１‥目標車線決定部
６２‥目標ゲート決定部
６３‥第２地図情報
１００‥自動運転制御ユニット
１２０‥第１制御部
１３０‥行動計画部
１３２‥料金所通過制御部
１３４‥目標軌道生成部
１４０‥第２制御部
【図１】
0006692935.tif 000002
【図２】
0006692935.tif 000003
【図３】
0006692935.tif 000004
【図４】
0006692935.tif 000005
【図５】
0006692935.tif 000006
【図６】
0006692935.tif 000007
【図７】
0006692935.tif 000008
【図８】
0006692935.tif 000009
【図９】
0006692935.tif 000010
【図１０】
0006692935.tif 000011